【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
筐体内部の汚染物質を除去するための吸着アセンブリであって、
ａ）接着剤；
ｂ）底面、上面及び少なくとも１つの側面を有する吸着媒体；並びに
ｃ）該吸着媒体を被覆するフィルタ媒体
を含んでなり、該フィルタ媒体が該吸着媒体の該上面及び少なくとも１つの側面に隣接し、該吸着媒体が少なくとも１つの溝を含むことを特徴とする、吸着アセンブリ。
【請求項２】
前記底面が接着剤の層と隣接する、請求項１に記載の吸着アセンブリ。
【請求項３】
前記フィルタ媒体が多孔質ポリマー膜を含む、請求項１又は２のいずれかに記載の吸着アセンブリ。
【請求項４】
前記フィルタ媒体が疎水性である、請求項３に記載の吸着アセンブリ。
【請求項５】
前記フィルタ媒体がＰＴＦＥを含む、請求項３又は４のいずれかに記載の吸着アセンブリ。
【請求項６】
前記多孔質ポリマー膜に配置されたエレクトレット粒子フィルタ層をさらに含む、請求項３〜５のいずれか１つに記載の吸着アセンブリ。
【請求項７】
前記フィルタ媒体がエレクトレットフィルタ媒体を含む、請求項１〜６のいずれか１つに記載の吸着アセンブリ。
【請求項８】
前記吸着媒体がＰＴＦＥ及び吸着材を含む、請求項１〜７のいずれか１つに記載の吸着アセンブリ。
【請求項９】
前記吸着媒体が吸着材で充填されたＰＴＦＥ膜を含む、請求項８に記載の吸着アセンブリ。
【請求項１０】
前記吸着媒体が成形されている、請求項１〜９のいずれか１つに記載の吸着アセンブリ。
【請求項１１】
前記吸着媒体が吸着材を含浸した不織布である、請求項１〜９のいずれか１つに記載の吸着アセンブリ。
【請求項１２】
前記吸着媒体がファイバースクリムの少なくとも１つの面に配置された粒状材料である、請求項１〜９のいずれか１つに記載の吸着アセンブリ。
【請求項１３】
前記吸着媒体が物理吸着材を含む、請求項１〜１２のいずれか１つに記載の吸着アセンブリ。
【請求項１４】
前記物理吸着材が、活性炭、活性アルミナ、モレキュラーシーブ、シリカゲル及びこれらの組み合わせからなる群から選択される、請求項１３に記載の吸着アセンブリ。
【請求項１５】
前記吸着媒体が化学吸着材を含む、請求項１〜１２のいずれか１つに記載の吸着アセンブリ。
【請求項１６】
前記化学吸着材が、過マンガン酸カリウム、炭酸カルシウム、炭酸カリウム、水酸化カリウム、炭酸ナトリウム及び硫酸カルシウム、並びにこれらの組み合わせからなる群から選択される少なくとも１つの物質で含浸した材料である、請求項１５に記載の吸着アセンブリ。
【請求項１７】
前記少なくとも１つの溝が前記フィルタ媒体に隣接する、請求項１〜１６のいずれか１つに記載の吸着アセンブリ。
【請求項１８】
前記少なくとも１つの溝が前記吸着媒体の側面にある、請求項１７に記載の吸着アセンブリ。
【請求項１９】
前記少なくとも１つの溝が前記吸着媒体の前記上面にある、請求項１７に記載の吸着アセンブリ。
【請求項２０】
前記吸着媒体が前記底面に少なくとも１つの溝をさらに含む、請求項１〜１９のいずれか１つに記載の吸着アセンブリ。
【請求項２１】
前記吸着アセンブリが表面のいずれかに２つ以上の溝を含む、請求項１〜２０のいずれか１つに記載の吸着アセンブリ。
【請求項２２】
前記溝が平行である、請求項２１に記載の吸着アセンブリ。
【請求項２３】
前記溝が放射状パターンを形成する、請求項２１に記載の吸着アセンブリ。
【請求項２４】
前記溝が交差している、請求項２１に記載の吸着アセンブリ。
【請求項２５】
前記吸着媒体が２つ以上の層を含む、請求項１〜２４のいずれか１つに記載の吸着アセンブリ。
【請求項２６】
前記吸着媒体が、少なくとも１つの溝を有する第１層と、該第１層に隣接する第２層とを含み、該第１層の該少なくとも１つの溝が該第２層と隣接するように、該第１層及び該第２層が配置されている、請求項２５に記載の吸着アセンブリ。
【請求項２７】
前記第２層が少なくとも１つの溝を含み、前記第１層の前記少なくとも１つの溝が前記第２層の該少なくとも１つの溝と面するように、前記第１層及び前記第２層が配置されている、請求項２６に記載の吸着アセンブリ。
【請求項２８】
前記第１層及び前記第２層が溝を含み、前記第１層の該溝が前記第２層と隣接しかつ前記第２層の該溝が前記第１層と反対側の表面にあるように、前記第１層及び前記第２層が配置されている、請求項２６に記載の吸着アセンブリ。
【請求項２９】
前記少なくとも１つの溝の深さが少なくとも約１ミル（０．０２５ｍｍ）である、請求項１〜２８のいずれか１つに記載の吸着アセンブリ。
【請求項３０】
前記少なくとも１つの溝の深さが少なくとも約５ミル（０．１２７ｍｍ）である、請求項２９に記載の吸着アセンブリ。
【請求項３１】
前記少なくとも１つの溝の深さが少なくとも約１０ミル（０．２５４ｍｍ）である、請求項３０に記載の吸着アセンブリ。
【請求項３２】
前記吸着媒体の前記上面の周縁部を取り囲む溝をさらに含む、請求項１〜３１のいずれか１つに記載の吸着アセンブリ。
【請求項３３】
前記フィルタ媒体と実質的に積層関係にある不透過性層をさらに含み、前記吸着アセンブリが前記筐体の外側に実装される、請求項１〜３２のいずれか１つに記載の吸着アセンブリ。
【請求項３４】
流体入口／出口を備えた筐体内部の汚染物質を除去するための吸着ブリーザアセンブリであって、
ａ）接着剤；
ｂ）底面、上面、及び少なくとも１つの側面を有して、該流体入口／出口と流体が連通する状態である吸着媒体；並びに
ｃ）該吸着媒体を被覆するフィルタ媒体
を含んでなり、該フィルタ媒体が該吸着媒体の該上面及び少なくとも１つの側面に隣接し、該吸着媒体が該フィルタ媒体と隣接する少なくとも１つの溝を含むことを特徴とする、吸着ブリーザアセンブリ。
【請求項３５】
前記底面が接着剤の層と隣接する、請求項３４に記載の吸着ブリーザアセンブリ。
【請求項３６】
前記フィルタ媒体が多孔質ポリマー膜を含む、請求項３４又は３５のいずれかに記載の吸着ブリーザアセンブリ。
【請求項３７】
前記フィルタ媒体が疎水性である、請求項３６に記載の吸着ブリーザアセンブリ。
【請求項３８】
前記フィルタ媒体がＰＴＦＥを含む、請求項３６又は３７のいずれかに記載の吸着ブリーザアセンブリ。
【請求項３９】
前記多孔質ポリマー膜に配置されたエレクトレット粒子フィルタ層をさらに含む、請求項３６〜３８のいずれか１つに記載の吸着ブリーザアセンブリ。
【請求項４０】
前記フィルタ媒体がエレクトレットフィルタ媒体を含む、請求項３４〜３９のいずれか１つに記載の吸着ブリーザアセンブリ。
【請求項４１】
前記吸着媒体がＰＴＦＥ及び吸着材を含む、請求項３４〜４０のいずれか１つに記載の吸着ブリーザアセンブリ。
【請求項４２】
前記吸着媒体が吸着材で充填されたＰＴＦＥ膜を含む、請求項４１に記載の吸着ブリーザアセンブリ。
【請求項４３】
前記吸着媒体が成形されている、請求項３４〜４２のいずれか１つに記載の吸着ブリーザアセンブリ。
【請求項４４】
前記吸着媒体が吸着材を含浸した不織布である、請求項３４〜４２のいずれか１つに記載の吸着ブリーザアセンブリ。
【請求項４５】
前記吸着媒体がファイバースクリムの少なくとも１つの面に配置された粒状吸着材である、請求項３４〜４２のいずれか１つに記載の吸着ブリーザアセンブリ。
【請求項４６】
前記吸着媒体が物理吸着材を含む、請求項３４〜４５のいずれか１つに記載の吸着ブリーザアセンブリ。
【請求項４７】
前記物理吸着材が、活性炭、活性アルミナ、モレキュラーシーブ、シリカゲル及びこれらの組み合わせからなる群から選択される、請求項４６に記載の吸着ブリーザアセンブリ。
【請求項４８】
前記吸着媒体が化学吸着材を含む、請求項３４〜４５のいずれか１つに記載の吸着ブリーザアセンブリ。
【請求項４９】
前記化学吸着材が、過マンガン酸カリウム、炭酸カルシウム、炭酸カリウム、水酸化カリウム、炭酸ナトリウム及び硫酸カルシウム、並びにこれらの組み合わせからなる群から選択される少なくとも１つの物質で含浸した材料を含む、請求項４８に記載の吸着ブリーザアセンブリ。
【請求項５０】
前記少なくとも１つの溝が前記吸着媒体の側面にある、請求項３４〜４９のいずれか１つに記載の吸着ブリーザアセンブリ。
【請求項５１】
前記少なくとも１つの溝が前記吸着媒体の前記上面にある、請求項３４〜４９のいずれか１つに記載の吸着ブリーザアセンブリ。
【請求項５２】
前記吸着媒体が前記底面に少なくとも１つの溝をさらに含む、請求項３４〜５１のいずれか１つに記載の吸着ブリーザアセンブリ。
【請求項５３】
前記吸着媒体が表面のいずれかに２つ以上の溝を含む、請求項３４〜５２のいずれか１つに記載の吸着ブリーザアセンブリ。
【請求項５４】
前記溝が平行である、請求項５３に記載の吸着ブリーザアセンブリ。
【請求項５５】
前記溝が放射状パターンを形成する、請求項５３に記載の吸着ブリーザアセンブリ。
【請求項５６】
前記溝が交差している、請求項５３に記載の吸着ブリーザアセンブリ。
【請求項５７】
前記吸着媒体が２つ以上の層を含む、請求項３４〜５６のいずれか１つに記載の吸着ブリーザアセンブリ。
【請求項５８】
前記吸着媒体が、少なくとも１つの溝を有する第１層と、その溝付の第１吸着層に隣接する第２層とを含み、該第１層の該少なくとも１つの溝が該第２層と隣接するように、該第１吸着層及び該第２吸着層が配置されている、請求項５７に記載の吸着ブリーザアセンブリ。
【請求項５９】
前記第２層が少なくとも１つの溝を含み、前記第１層の前記少なくとも１つの溝が前記第２層の該少なくとも１つの溝と面するように、前記第１層及び前記第２層が配置されている、請求項５８に記載の吸着ブリーザアセンブリ。
【請求項６０】
前記第１層及び前記第２層が溝を含み、前記第１層の該溝が前記第２層と隣接しかつ前記第２層の該溝が前記第１層と反対側の表面にあるように、前記第１層及び前記第２層が配置されている、請求項５８に記載の吸着ブリーザアセンブリ。
【請求項６１】
前記アセンブリ内部に画定された拡散流路をさらに含み、前記口と前記吸着媒体との間を流体が連通するための経路を画定するように該拡散流路が適合している、請求項３４〜６０のいずれか１つに記載の吸着ブリーザアセンブリ。
【請求項６２】
前記口及び前記吸着媒体と流体が連通する状態である拡散流路をさらに含む、請求項３４〜６１のいずれか１つに記載の吸着ブリーザアセンブリ。
【請求項６３】
前記少なくとも１つの溝の深さが少なくとも約１ミル（０．０２５ｍｍ）である、請求項３４〜６２のいずれか１つに記載の吸着ブリーザアセンブリ。
【請求項６４】
前記少なくとも１つの溝の深さが少なくとも約５ミル（０．１２７ｍｍ）である、請求項６３に記載の吸着ブリーザアセンブリ。
【請求項６５】
前記少なくとも１つの溝の深さが少なくとも約１０ミル（０．２５４ｍｍ）である、請求項６４に記載の吸着ブリーザアセンブリ。
【請求項６６】
前記吸着媒体の前記上面の周縁部を取り囲む溝をさらに含む、請求項３４〜６５のいずれか１つに記載の吸着ブリーザアセンブリ。
【請求項６７】
前記接着剤が、少なくとも感圧接着剤、ＵＶ硬化接着剤、ホットメルト接着剤、超音波活性化ポリマー、低温接着剤及びエポキシからなる群から選択される、請求項３４〜６６のいずれか１つに記載の吸着ブリーザアセンブリ。
【請求項６８】
不透過性層をさらに含み、前記筐体の内側の代わりに前記筐体の外側に実装される、請求項３４〜６７のいずれか１つに記載の吸着ブリーザアセンブリ。
【請求項６９】
前記口と前記吸着媒体との間を流体が連通するための経路を画定するように適合させた拡散流路をさらに含む、請求項６８に記載の吸着ブリーザアセンブリ。
【請求項７０】
ａ）流体入口を備えており、かつ密閉体積を画定する筐体を用意し；
ｂ）該筐体に隣接する底面、該底面と反対側の上面、及び少なくとも１つの側面を有しており、該流体入口及び該密閉体積と流体が連通する状態である吸着媒体を用意し；並びに
ｃ）該吸着媒体の少なくとも該上面及び１つの側面をフィルタ媒体で被覆する
工程を含んでなり、該吸着媒体が、該フィルタ媒体に隣接する少なくとも１つの溝を含むことを特徴とする、筐体から汚染物質を除去する方法。
【手続補正２】
【補正対象書類名】明細書
【補正対象項目名】００２１
【補正方法】変更
【補正の内容】
【００２１】
他の態様では、本発明は、流体入口／出口を備えた筐体内部の汚染物質を除去するための吸着ブリーザフィルタであって、接着剤；底面、上面、及び少なくとも１つの側面を有して、該入口／出口と流体が連通する状態である吸着媒体；並びに該吸着媒体を被覆するフィルタ媒体を含んでなり、該フィルタ媒体が該吸着媒体の該上面及び少なくとも１つの側面に隣接し、該吸着媒体が該フィルタ媒体と隣接する少なくとも１つの溝を含む。この態様では、前記少なくとも１つの溝の深さが、好ましくは少なくとも約１ミル（０．０２５ｍｍ）、より好ましくは少なくとも約５ミル（０．１２７ｍｍ）、最も好ましくは少なくとも約１０ミル（０．２５４ｍｍ）である。
【手続補正３】
【補正対象書類名】明細書
【補正対象項目名】００３９
【補正方法】変更
【補正の内容】
【００３９】
フィルタは、ドライブ筐体壁の内部又は外部の適当な位置にフィルタを取り付けるために、１層又は複数層の接着剤を含んでもよい。必要に応じてフィルタがドライブハウジング内の入口拡散チューブ又は流路を覆ってもよく、あるいはフィルタが完全に拡散チューブを包含してもよい。進入する空気の粒子を濾過するためのフィルタ媒体層は、接着剤に対して実質的に積層した関係にされる。１層又は複数層の、任意選択のフィルタ媒体を再循環空気の濾過のために備えていてもよい。複数の表面に溝を有する１層又は複数層の吸着媒体を、接着剤及びフィルタ層の間又はフィルタ媒体層間に配置して、気体汚染物質を含んだ進入する空気流及び再循環する空気流のうち、一方又は両方を濾過する。未濾過の入口空気がそのフィルタを通る可能性がなければ、フィルタを適当に分割して入口空気用及び再循環空気用の流路としうる。